(57)【要約】      （修正有）【課題】ワイヤレス通信システム中でＣＱＩ情報およびＡＣＫ情報のような制御情報を送る技術を提供する。【解決手段】ユーザ装置（ＵＥ）は、メッセージのＭ個の上位ビット（ＭＳＢ）に対して、第１の情報（例えば、ＣＱＩ情報）をマッピングし、第２の情報が送られる場合、メッセージのＮ個の下位ビット（ＬＳＢ）に対して、第２の情報（例えば、ＡＣＫ情報）をマッピングし、Ｍ≧１、Ｎ≧１である。ＵＥは、ブロックコードでメッセージをエンコードし、ブロックコードの最初のＭ個の基本シーケンスで、Ｍ個のＭＳＢをエンコードし、ブロックコードの次のＮ個の基本シーケンスで、Ｎ個のＬＳＢをエンコードする。第２の情報は、Ｎ個のＡＣＫビットを含む。１つの設計では、ＵＥは、Ｎ個のＡＣＫビットのそれぞれを、ＡＣＫに対する第１の値に、または、ＮＡＣＫに対する第２の値にセットする。第２の値はまた、ＡＣＫ情報のＤＴＸに対しても使用される。【選択図】図９
2020017974.tif 000002
【特許請求の範囲】
【請求項１】
通信システム中で情報を送る方法において、
メッセージのＭ個の上位ビット（ＭＳＢ）に対して、第１の情報をマッピングし、ここで、Ｍは１であるか、または、１より大きいことと、
第２の情報が送られる場合、前記メッセージのＮ個の下位ビット（ＬＳＢ）に対して、前記第２の情報をマッピングし、ここで、Ｎは１であるか、または、１より大きいことと、
ブロックコードで、前記メッセージをエンコードすることと
を含み、
前記第１の情報は、前記メッセージ中で、単独で、または、前記第２の情報とともに送られ、
前記第２の情報は、前記メッセージ中で、前記第１の情報とともに送られるか、または、送られない方法。
【請求項２】
前記ブロックコードは、複数の情報ビットに対する複数の基本シーケンスを含み、
ブロックコードで、前記メッセージをエンコードすることは、
前記ブロックコードの最初のＭ個の基本シーケンスで、前記メッセージのＭ個のＭＳＢをエンコードすることと、
前記第２の情報が送られる場合、前記ブロックコードの次のＮ個の基本シーケンスで、前記メッセージのＮ個のＬＳＢをエンコードすることと
を含む、請求項１記載の方法。
【請求項３】
前記第１の情報は、チャネル品質インジケータ（ＣＱＩ）情報を含み、前記第２の情報は、肯定応答（ＡＣＫ）情報を含む、請求項１記載の方法。
【請求項４】
Ｎ個の肯定応答（ＡＣＫ）ビットのそれぞれを、ＡＣＫに対する第１の値に、または、否定肯定応答（ＮＡＣＫ）に対する第２の値にセットすることをさらに含み、
前記第２の値はまた、ＡＣＫ情報の断続的送信（ＤＴＸ）に対しても使用され、
前記第２の情報は、前記Ｎ個のＡＣＫビットを含む、請求項１記載の方法。
【請求項５】
前記ブロックコードは、Ｒｅｅｄ−Ｍｕｌｌｅｒコードに基づいて導出される、請求項１記載の方法。
【請求項６】
少なくとも１つのプロセッサを具備する、通信のための装置において、
前記少なくとも１つのプロセッサは、
メッセージのＭ個の上位ビット（ＭＳＢ）に対して、第１の情報をマッピングし、
第２の情報が送られる場合、前記メッセージのＮ個の下位ビット（ＬＳＢ）に対して、前記第２の情報をマッピングし、
ブロックコードで、前記メッセージをエンコードする
ように構成されており、
ここで、Ｍは１であるか、または、１より大きく、
ここで、Ｎは１であるか、または、１より大きく、
前記第１の情報は、前記メッセージ中で、単独で、または、前記第２の情報とともに送られ、
前記第２の情報は、前記メッセージ中で、前記第１の情報とともに送られるか、または、送られない装置。
【請求項７】
前記ブロックコードは、複数の情報ビットに対する複数の基本シーケンスを含み、
前記少なくとも１つのプロセッサは、
前記ブロックコードの最初のＭ個の基本シーケンスで、前記メッセージのＭ個のＭＳＢをエンコードし、
前記第２の情報が送られる場合、前記ブロックコードの次のＮ個の基本シーケンスで、前記メッセージのＮ個のＬＳＢをエンコードする
ように構成されている、請求項６記載の装置。
【請求項８】
前記少なくとも１つのプロセッサは、
Ｎ個の肯定応答（ＡＣＫ）ビットのそれぞれを、ＡＣＫに対する第１の値に、または、否定肯定応答（ＮＡＣＫ）に対する第２の値にセットするように構成されており、
前記第２の値はまた、ＡＣＫ情報の断続的送信（ＤＴＸ）に対しても使用され、
前記第２の情報は、前記Ｎ個のＡＣＫビットを含む、請求項６記載の装置。
【請求項９】
通信のための装置において、
メッセージのＭ個の上位ビット（ＭＳＢ）に対して、第１の情報をマッピングする手段と、
第２の情報が送られる場合、前記メッセージのＮ個の下位ビット（ＬＳＢ）に対して、前記第２の情報をマッピングする手段と、
ブロックコードで、前記メッセージをエンコードする手段と
を具備し、
ここで、Ｍは１であるか、または、１より大きく、
ここで、Ｎは１であるか、または、１より大きく、
前記第１の情報は、前記メッセージ中で、単独で、または、前記第２の情報とともに送られ、
前記第２の情報は、前記メッセージ中で、前記第１の情報とともに送られるか、または、送られない装置。
【請求項１０】
前記ブロックコードは、複数の情報ビットに対する複数の基本シーケンスを含み、
前記ブロックコードで、前記メッセージをエンコードする手段は、
前記ブロックコードの最初のＭ個の基本シーケンスで、前記メッセージのＭ個のＭＳＢをエンコードする手段と、
前記第２の情報が送られる場合、前記ブロックコードの次のＮ個の基本シーケンスで、前記メッセージのＮ個のＬＳＢをエンコードする手段と
を備える、請求項９記載の装置。
【請求項１１】
Ｎ個の肯定応答（ＡＣＫ）ビットのそれぞれを、ＡＣＫに対する第１の値に、または、否定肯定応答（ＮＡＣＫ）に対する第２の値にセットする手段をさらに具備し、
前記第２の値はまた、ＡＣＫ情報の断続的送信（ＤＴＸ）に対しても使用され、
前記第２の情報は、前記Ｎ個のＡＣＫビットを含む、請求項９記載の装置。
【請求項１２】
コンピュータ読取可能媒体を備えるコンピュータプログラム製品において、
前記コンピュータ読取可能媒体は、
少なくとも１つのコンピュータに、メッセージのＭ個の上位ビット（ＭＳＢ）に対して、第１の情報をマッピングさせるためのコードと、
前記少なくとも１つのコンピュータに、第２の情報が送られる場合、前記メッセージのＮ個の下位ビット（ＬＳＢ）に対して、前記第２の情報をマッピングさせるためのコードと、
前記少なくとも１つのコンピュータに、ブロックコードで、前記メッセージをエンコードさせるためのコードと
を含み、
ここで、Ｍは１であるか、または、１より大きく、
ここで、Ｎは１であるか、または、１より大きく、
前記第１の情報は、前記メッセージ中で、単独で、または、前記第２の情報とともに送られ、
前記第２の情報は、前記メッセージ中で、前記第１の情報とともに送られるか、または、送られない、コンピュータプログラム製品。
【請求項１３】
通信システム中で情報を送る方法において、
メッセージのＭ個の上位ビット（ＭＳＢ）に対して、チャネル品質インジケータ（ＣＱＩ）情報をマッピングし、ここで、Ｍは１であるか、または、１より大きいことと、
肯定応答（ＡＣＫ）情報が送られる場合、前記メッセージのＮ個の下位ビット（ＬＳＢ）に対して、前記ＡＣＫ情報をマッピングし、ここで、Ｎは１であるか、または、１より大きいことと、
ブロックコードの最初のＭ個の基本シーケンスで、前記メッセージのＭ個のＭＳＢをエンコードすることと、
前記ＡＣＫ情報が送られる場合、前記ブロックコードの次のＮ個の基本シーケンスで、前記メッセージのＮ個のＬＳＢをエンコードすることと
を含む方法。
【請求項１４】
前記ＣＱＩ情報だけが送られる場合、前記メッセージは、Ｍ個のビットを含み、前記ブロックコードの最初のＭ個の基本シーケンスでエンコードされ、
前記ＣＱＩ情報および前記ＡＣＫ情報の両方が送られる場合、前記メッセージは、ＭプラスＮ個のビットを含み、前記ブロックコードの最初のＭプラスＮ個の基本シーケンスでエンコードされる、請求項１３記載の方法。
【請求項１５】
Ｎ個のＡＣＫビットのそれぞれを、ＡＣＫに対する第１の値に、または、否定肯定応答（ＮＡＣＫ）に対する第２の値にセットすることをさらに含み、
前記第２の値はまた、前記ＡＣＫ情報の断続的送信（ＤＴＸ）に対しても使用され、  前記ＡＣＫ情報は、前記Ｎ個のＡＣＫビットを含む、請求項１３記載の方法。
【請求項１６】
前記メッセージの、前記Ｍ個のＭＳＢおよび前記Ｎ個のＬＳＢをエンコードすることから、出力ビットシーケンスを取得することと、
物理アップリンク制御チャネル（ＰＵＣＣＨ）上で、前記出力ビットシーケンスを送ることと
をさらに含む、請求項１３記載の方法。
【請求項１７】
通信システム中で情報を送る方法において、
第１の情報だけが送られる場合、第１のブロックコードに基づいて、前記第１の情報をエンコードすることと、
前記第１の情報および第２の情報の両方が送られる場合、第２のブロックコードに基づいて、前記第１の情報および前記第２の情報をエンコードすることと
を含み、
前記第２のブロックコードは、前記第１の情報に対する第１のサブコードと、前記第２の情報に対する第２のサブコードとを含み、前記第１のサブコードは、前記第１のブロックコードに対応する方法。
【請求項１８】
Ｎ個のビットのそれぞれを、肯定応答（ＡＣＫ）に対する第１の値に、または、否定肯定応答（ＮＡＣＫ）に対する第２の値にセットすることをさらに含み、
ここで、Ｎは１であるか、または、１より大きく、
前記第２の値はまた、前記第２の情報の断続的送信（ＤＴＸ）に対しても使用され、  前記第２の情報は、前記Ｎ個のビットを含む、請求項１７記載の方法。
【請求項１９】
通信システム中で情報を受信する方法において、
受信された送信を、ブロックコードに基づいてデコードして、複数のビットを含むデコードされたメッセージを取得することと、
前記デコードされたメッセージのＭ個の上位ビット（ＭＳＢ）を、第１の情報として提供し、ここで、Ｍは１であるか、または、１より大きいことと、
前記デコードされたメッセージのＮ個の下位ビット（ＬＳＢ）を、第２の情報として提供し、ここで、Ｎは１であるか、または、１より大きいことと
を含み、
前記受信された送信は、前記第１の情報だけ、または、前記第１の情報および前記第２の情報の両方を含む方法。
【請求項２０】
前記受信された送信をデコードすることは、
前記ブロックコードの最初のＭプラスＮ個の基本シーケンスに基づいて、前記受信された送信をデコードして、デコードされたメッセージを取得することを含み、
前記デコードされたメッセージのＭ個のＭＳＢは、前記ブロックコードの最初のＭ個の基本シーケンスに基づいて取得され、
前記デコードされたメッセージのＮ個のＬＳＢは、前記ブロックコードの次のＮ個の基本シーケンスに基づいて取得される、請求項１９記載の方法。
【請求項２１】
前記第１の情報は、チャネル品質インジケータ（ＣＱＩ）情報を含み、前記第２の情報は、肯定応答（ＡＣＫ）情報を含む、請求項１９記載の方法。
【請求項２２】
前記ブロックコードは、Ｒｅｅｄ−Ｍｕｌｌｅｒコードに基づいて導出される、請求項１９記載の方法。
【請求項２３】
少なくとも１つのプロセッサを具備する、通信のための装置において、
前記少なくとも１つのプロセッサは、
受信された送信を、ブロックコードに基づいてデコードして、複数のビットを含むデコードされたメッセージを取得し、
前記デコードされたメッセージのＭ個の上位ビット（ＭＳＢ）を、第１の情報として提供し、
前記デコードされたメッセージのＮ個の下位ビット（ＬＳＢ）を、第２の情報として提供する
ように構成されており、
ここで、Ｍは１であるか、または、１より大きく、
ここで、Ｎは１であるか、または、１より大きく、
前記受信された送信は、前記第１の情報だけ、または、前記第１の情報および前記第２の情報の両方を含む装置。
【請求項２４】
前記少なくとも１つのプロセッサは、
前記ブロックコードの最初のＭプラスＮ個の基本シーケンスに基づいて、前記受信された送信をデコードして、デコードされたメッセージを取得するように構成されており、  前記デコードされたメッセージのＭ個のＭＳＢは、前記ブロックコードの最初のＭ個の基本シーケンスに基づいて取得され、
前記デコードされたメッセージのＮ個のＬＳＢは、前記ブロックコードの次のＮ個の基本シーケンスに基づいて取得される、請求項２３記載の装置。
【請求項２５】
前記デコードされたメッセージのＮ個のＬＳＢのうちのそれぞれのビットに対して、  前記少なくとも１つのプロセッサは、
前記ビットが第１の値を持つ場合、肯定応答（ＡＣＫ）を提供し、
前記ビットが第２の値を持つ場合、否定肯定応答（ＮＡＣＫ）を提供する
ように構成されており、
前記第２の値はまた、ＡＣＫ情報の断続的送信（ＤＴＸ）に対しても使用される、請求項２３記載の装置。
【請求項２６】
通信システム中で情報を受信する方法において、
受信された送信を、ブロックコードの複数の基本シーケンスに基づいてデコードして、複数のビットを含むデコードされたメッセージを取得することと、
前記ブロックコードの最初のＭ個の基本シーケンスに基づいて取得された、前記デコードされたメッセージのＭ個の上位ビット（ＭＳＢ）を、チャネル品質インジケータ（ＣＱＩ）情報として提供し、ここで、Ｍは１であるか、または、１より大きいことと、
前記ブロックコードの次のＮ個の基本シーケンスに基づいて取得された、前記デコードされたメッセージのＮ個の下位ビット（ＬＳＢ）を、肯定応答（ＡＣＫ）情報として提供し、ここで、Ｎは１であるか、または、１より大きいことと
を含む方法。
【請求項２７】
前記受信された送信は、
前記ＣＱＩ情報だけが送られる場合、第１の出力ビットシーケンスを含み、
前記ＣＱＩ情報および前記ＡＣＫ情報の両方が送られる場合、第２の出力ビットシーケンスを含み、
前記第１の出力ビットシーケンスは、前記ブロックコードの最初のＭ個の基本シーケンスで前記ＣＱＩ情報のＭ個のビットをエンコードすることによって取得され、
前記第２の出力ビットシーケンスは、前記ブロックコードの最初のＭ個の基本シーケンスで前記ＣＱＩ情報のＭ個のビットをエンコードすることと、前記ブロックコードの次のＮ個の基本シーケンスで前記ＡＣＫ情報のＮ個のビットをエンコードすることによって取得される、請求項２６記載の方法。
【請求項２８】
前記デコードされたメッセージのＮ個のＬＳＢのうちのそれぞれのビットに対して、  前記ビットが第１の値を持つ場合、ＡＣＫを提供することと、
前記ビットが第２の値を持つ場合、否定肯定応答（ＮＡＣＫ）を提供することと
を含み、
前記第２の値はまた、前記ＡＣＫ情報の断続的送信（ＤＴＸ）に対しても使用される、請求項２６記載の方法。
【請求項２９】
通信システム中で情報を受信する方法において、
受信された送信から、第１の情報だけが予期される場合、前記受信された送信を、第１のブロックコードに基づいてデコードすることと、
前記受信された送信から、前記第１の情報および第２の情報が予期される場合、前記受信された送信を、第２のブロックコードに基づいてデコードすることと
を含み、
前記第２のブロックコードは、前記第１の情報に対する第１のサブコードと、前記第２の情報に対する第２のサブコードとを含み、前記第１のサブコードは、前記第１のブロックコードに対応する方法。
【請求項３０】
前記受信された送信から、前記第２の情報が予期される場合、前記第２の情報に対する少なくとも１つのデコードされたビットのうちのそれぞれのビットに対して、
前記ビットが第１の値を持つ場合、肯定応答（ＡＣＫ）を提供することと、
前記ビットが第２の値を持つ場合、否定肯定応答（ＮＡＣＫ）を提供することと
を含み、
前記第２の値はまた、前記第２の情報の断続的送信（ＤＴＸ）に対しても使用される、請求項２９記載の方法。
【発明の詳細な説明】
【米国法第３５部第１１９条に基づく優先権の主張】
【０００１】
本出願は、２００８年３月３０日に出願され、“拡張巡回プレフィックスに対する物理アップリンク制御チャネルにおける、結合肯定応答と、チャネル品質表示送信とにおける、断続的送信の検出”と題されている米国仮出願シリアル番号第６１／０４０，７００号に対する優先権を主張し、これは、本出願譲受人に譲渡され、ここで参照により組み込まれている。
【分野】
【０００２】
本開示は、一般的に通信に関連し、より詳細には、ワイヤレス通信システムにおける制御情報のエンコーディングおよびデコーディングのための技術に関連する。
【背景】
【０００３】
ワイヤレス通信システムは、音声、ビデオ、パケットデータ、メッセージング、ブロードキャスト等のような、さまざまな通信コンテンツを提供するように広く配備されている。これらのワイヤレスシステムは、利用可能なシステムリソースを共有することによって、複数のユーザをサポートすることができる多元接続システムであってもよい。そのような多元接続システムの例は、コード分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一搬送波ＦＤＭＡ（ＳＣ−ＦＤＭＡ）とを含む。
【０００４】
ワイヤレス通信システムは、いくつかのユーザ装置（ＵＥ）に対する通信をサポートできるいくつかのノードＢを含んでもよい。ノードＢは、ダウンリンク上でＵＥに対してデータを送信してもよく、および／または、アップリンク上でＵＥからのデータを受け取ってもよい。ダウンリンク（すなわち、フォワードリンク）は、ノードＢからＵＥへの通信リンクを指し、アップリンク（すなわち、リバースリンク）は、ＵＥからノードＢへの通信リンクを指す。ＵＥは、ダウンリンクチャネル品質を示すチャネル品質インジケータ（ＣＱＩ）情報を、ノードＢに対して送ってもよい。ノードＢは、ＣＱＩ情報に基づいて、レートを選択してもよく、選択されたレートで、ＵＥに対してデータを送ってもよい。ＵＥは、ノードＢから受信されたデータに対する肯定応答（ＡＣＫ）情報を送ってもよい。ノードＢは、ＡＣＫ情報に基づいて、ＵＥに対して継続中のデータを再送信するか、または、新しいデータを送信するかを決定してもよい。良好な性能を達成するために、ＡＣＫおよびＣＱＩ情報を信頼可能に送受信することが望ましい。
【概要】
【０００５】
ワイヤレス通信システムにおいて、ＣＱＩ情報およびＡＣＫ情報のような、制御情報を送るための技術をここで記述する。１つの観点では、あるタイプの情報の断続的送信（ＤＴＸ）の存在するときでさえも、受信機が情報を回復できるように、送信機（例えば、ＵＥ）が、リニアブロックコードに基づいて、１つ以上のタイプの情報をエンコードしてもよく、異なるタイプの情報を順序付けしてもよい。
【０００６】
１つの設計では、ＵＥは、メッセージのＭ個の上位ビット（ＭＳＢ）に対して、第１の情報（例えば、ＣＱＩ情報）をマッピングしてもよく、ここで、Ｍ≧１である。第２の情報が送られる場合、ＵＥは、メッセージのＮ個の下位ビット（ＬＳＢ）に対して、第２の情報（例えば、ＡＣＫ情報）をマッピングしてもよく、ここで、Ｎ≧１である。このように、メッセージは、第１の情報だけを含んでいてもよく、第１および第２の情報の両方を含んでいてもよい。ＵＥは、ブロックコードでメッセージをエンコードして、出力ビットシーケンスを取得してもよい。１つの設計では、ブロックコードは、Ｒｅｅｄ−Ｍｕｌｌｅｒコードに基づいて導出されてもよく、複数の情報ビットに対する複数の基本シーケンスを含んでいてもよい。ＵＥは、ブロックコードの最初のＭ個の基本シーケンスで、メッセージのＭ個のＭＳＢをエンコードしてもよい。ＵＥは、第２の情報が送られる場合、ブロックコードの次のＮ個の基本シーケンスで、メッセージのＮ個のＬＳＢをエンコードしてもよい。
【０００７】
第２の情報は、ＡＣＫ情報に対するＮ個のビットを含む。１つの設計では、ＵＥは、Ｎ個のＡＣＫビットのそれぞれを、ＡＣＫに対する第１の値（例えば、‘１’）に、または、ＮＡＣＫに対する第２の値（例えば、‘０’）にセットしてもよい。第２の値はまた、ＡＣＫ情報のＤＴＸに対しても使用されてもよい。この設計は、ＵＥがノードＢからのダウンリンク送信を失い、ＡＣＫ情報に対するＤＴＸを送る場合に、ノードＢがＮＡＣＫを検出することを可能にする。ノードＢは、ＵＥに対するデータを再送してもよく、これは所望の応答である。
【０００８】
本開示のさまざまな観点と特徴を、以下でより詳細に説明する。
【図面の簡単な説明】
【０００９】
【図１】図１は、ワイヤレス通信システムを示す。
【図２】図２は、ダウンリンクおよびアップリンク上での例示的な送信を示す。
【図３Ａ】図３Ａは、ＣＱＩ情報およびＡＣＫ情報の送信を示す。
【図３Ｂ】図３Ｂは、ＣＱＩ情報およびＡＣＫ情報の送信を示す。
【図３Ｃ】図３Ｃは、ＣＱＩ情報およびＡＣＫ情報の送信を示す。
【図４】図４は、ＵＥによって実行される、制御情報を送るためのプロセスを示す。
【図５】図５は、ノードＢによって実行される、制御情報を受信するためのプロセスを示す。
【図６Ａ】図６Ａは、デコーディング性能のグラフを示す。
【図６Ｂ】図６Ｂは、デコーディング性能のグラフを示す。
【図７】図７は、制御情報を送るためのプロセスを示す。
【図８】図８は、制御情報をエンコーディングするためのプロセスを示す。
【図９】図９は、制御情報を送るための装置を示す。
【図１０】図１０は、制御情報を送るための別のプロセスを示す。
【図１１】図１１は、制御情報を送るための別の装置を示す。
【図１２】図１２は、制御情報を受信するためのプロセスを示す。
【図１３】図１３は、制御情報を受信するための装置を示す。
【図１４】図１４は、制御情報を受信するための、別のプロセスを示す。
【図１５】図１５は、制御情報を受信するための別の装置を示す。
【図１６】図１６は、ノードＢおよびＵＥのブロック図を示す。
【発明の詳細な説明】
【００１０】
ここで開示する技術を、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用してもよい。用語“システム”および“ネットワーク”を相互交換可能に使用することが多い。ＣＤＭＡシステムは、ユニバーサル地上無線接続（ＵＴＲＡ）、ｃｄｍａ２０００、等のような無線技術を実現してもよい。ＵＴＲＡは、広帯域ＣＤＭＡ（ＷＣＤＭＡ（登録商標））と、ＣＤＭＡの他の変種を含む。ｃｄｍａ２０００は、ＩＳ−２０００、ＩＳ−９５、および、ＩＳ−８５６標準規格をカバーする。ＴＤＭＡシステムは、移動体通信のためのグローバルシステム（ＧＳＭ（登録商標））のような無線技術を実現してもよい。ＯＦＤＭＡシステムは、進化ＵＴＲＡ（Ｅ−ＵＴＲＡ）、ウルトラモバイルブロードバンド（ＵＭＢ）、ＩＥＥＥ８０２．１１（ＷｉＦｉ）、ＩＥＥＥ８０２．１６（ＷｉＭＡＸ）、ＩＥＥＥ８０２．２０、フラッシュＯＦＤＭ（登録商標）等のような無線技術を実現してもよい。ＵＴＲＡとＥ−ＵＴＲＡは、ユニバーサル移動体電気通信システム（ＵＭＴＳ）の一部である。３ＧＰＰ（登録商標）長期間進化（ＬＴＥ（登録商標））は、Ｅ−ＵＴＲＡを使用するＵＭＴＳの次に来るリリースであり、これは、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、および、ＧＳＭは、“第３世代パートナーシッププロジェクト”（３ＧＰＰ）と称されている組織からの文書中で記述されている。ｃｄｍａ２０００とＵＭＢは、“第３世代パートナーシッププロジェクト２”（３ＧＰＰ２）と称されている組織からの文書中で記述されている。ここで記述した技術は、上で言及したシステムおよび無線技術とともに、他のシステムおよび無線技術に対して使用されてもよい。明瞭さのために、技術のある観点を、ＬＴＥに対して以下で記述し、以下の説明の多くにおいて、ＬＴＥ用語を使用する。
【００１１】
図１は、ワイヤレス通信システム１００を示し、これは、ＬＴＥシステムであってもよい。システム１００は、いくつかのノードＢ１１０と、他のネットワークエンティティを含んでもよい。ノードＢは、ＵＥと通信する局であってもよく、進化ノードＢ（ｅＮＢ）、基地局、アクセスポイント等として呼ばれてもよい。ＵＥ１２０は、システム全体にわたって分散していてもよく、各ＵＥは、据置型または移動型であってもよい。ＵＥはまた、移動局、端末、アクセス端末、加入者ユニット、局、等として呼ばれてもよい。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、等であってもよい。
【００１２】
システムは、ハイブリッド自動再送信（ＨＡＲＱ）をサポートしてもよい。ダウンリンク上のＨＡＲＱに対して、ノードＢは、データの送信を送ってもよく、データが、受信者ＵＥによって正しくデコードされるまで、または、最大数の再送信が送られてしまうまで、あるいは、他の何らかの終了条件に遭遇するまで、１つ以上の再送信を送ってもよい。ＨＡＲＱは、データ送信の信頼性を改善する。
【００１３】
図２は、ノードＢによる例示的なダウンリンク送信と、ＵＥによる例示的なアップリンク送信とを示す。送信タイムラインは、サブフレームのユニットへと分割されてもよい。各サブフレームは、特定の継続期間、例えば、１ミリ秒（ｍｓ）を持っていてもよい。ＵＥは、ノードＢに対するダウンリンクチャネル品質を、定期的に予期してもよく、ノードＢに対して、物理アップリンク制御チャネル（ＰＵＣＣＨ）上で、ＣＱＩ情報を送ってもよい。図２に示した例では、ＵＥは、１６サブフレーム毎に、例えば、サブフレームｔ、ｔ＋６、ｔ＋１２等で、定期的にＣＱＩ情報を送ってもよい。
【００１４】
ノードＢは、ＣＱＩ情報、および／または、他の情報を使用して、ダウンリンク送信に対するＵＥを選択し、ＵＥに対する適切なトランスポートフォーマット（例えば、変調およびコーディングスキーム）を選択してもよい。ノードＢは、選択されたトランスポートフォーマットにしたがって、トランスポートブロックを処理して、コードワードを取得してもよい。トランスポートブロックは、パケット等として呼ばれてもよい。ノードＢは、サブフレームｔ＋４において、ＵＥに対して、物理ダウンリンク制御チャネル（ＰＤＣＣＨ）上で制御情報を送ってもよく、物理ダウンリンク共有チャネル（ＰＤＳＣＨ）上でコードワードの送信を送ってもよい。制御情報は、選択されたトランスポートフォーマット、ＰＤＳＣＨ上でデータ送信のために使用されるリソース、および／または、他の情報を含んでもよい。ＵＥは、ＰＤＣＣＨを処理して、制御チャネルを取得してもよく、制御情報にしたがって、ＰＤＳＣＨを処理して、コードワードをデコードしてもよい。ＵＥは、ＡＣＫ情報を発生させてもよく、これは、コードワードが正しくデコードされた場合はＡＣＫを含んでいてもよく、コードワードが誤ってデコードされた場合にはＮＡＣＫを含んでいてもよい。ＵＥは、サブフレームｔ＋６において、ＰＵＣＣＨ上でＡＣＫ情報を送ってもよい。ノードＢは、ＮＡＣＫが受信された場合、コードワードの再送信を送ってもよく、ＡＣＫが受信された場合、新しいコードワードの送信を送ってもよい。図２は、ＡＣＫ情報が、コードワード送信から、２サブフレームだけ遅延している例を示す。ＡＣＫ情報は、また、他の何らかの量だけ遅延されてもよい。
【００１５】
図２に示した例では、ノードＢは、ＰＤＣＣＨ上で制御情報を送ってもよく、サブフレームｔ＋１０中の、ＰＤＳＣＨ上でコードワードの再／送信を送ってもよい。ＵＥは、ＰＤＣＣＨ上での制御情報を失う（例えば、制御情報を、誤ってデコードする）かもしれず、次に、ＰＤＳＣＨ上で送られたデータ送信を失うだろう。ＵＥは、サブフレームｔ＋１２中のＡＣＫ情報に対して、ＤＴＸを送る（すなわち、何も送らない）。ノードＢは、サブフレームｔ＋１２中で、ＣＱＩ情報およびＡＣＫ情報を受信することを予期しているかもしれない。ノードＢは、ＡＣＫ情報に対するＤＴＸを受信するかもしれず、ＤＴＸをＮＡＣＫとして解釈して、コードワードの再送信を送る。
【００１６】
図２に示したように、上は、ＰＵＣＣＨ上で、ＣＱＩおよび／またはＡＣＫ情報を送ってもよい。ＡＣＫ情報は、ノードＢからＵＥに対して送られた各トランスポートブロックが、ＵＥによって、正しくデコードされたか、誤ってデコードされたかを伝達してもよい。ＵＥによって送られることになるＡＣＫ情報の量は、ＵＥに対して送られることになるトランスポートブロックの数に依拠していてもよい。１つの設計では、１または２個のトランスポートブロックが、ＵＥに送られたかどうかに依拠して、ＡＣＫ情報は１または２個のＡＣＫビットを含んでもよい。他の設計では、ＡＣＫ情報は、より多くのＡＣＫビットを含んでいてもよい。ＣＱＩ情報は、ＵＥによって推定されたダウンリンクチャネル品質を、ノードＢに対して伝達してもよい。ＣＱＩ情報は、信号対雑音比（ＳＮＲ）、信号対雑音干渉比（ＳＩＮＲ）等のような、チャネル品質メトリックに対する１つ以上の量子化された値を含んでいてもよい。ＣＱＩ情報はまた、チャネル品質メトリックに基づいて決定された１つ以上のトランスポートフォーマットも含んでいてもよい。何らかのケースにおいて、ＵＥによって送られることになるＣＱＩ情報の量は、ダウンリンク送信に対して利用可能な空間的チャネルの数、ダウンリンクチャネル品質を報告するためのフォーマット、報告されたダウンリンクチャネル品質の所望の粒度、等のようなさまざまな要因に依拠していてもよい。１つの設計では、ＣＱＩ情報は、４から１１ビットを含んでいてもよい。他の設計では、ＣＱＩ情報は、より少ないビット、または、より多くのビットを含んでいてもよい。
【００１７】
図２に示したように、ＵＥは、ＣＱＩ情報だけを、または、ＣＱＩ情報およびＡＣＫ情報の両方を、所定のサブフレームにおいて、ＰＤＣＣＨ上で送ってもよい。ＵＥは、ＵＥおよびノードＢの両方によって知られていてもよい、定期的レートで、また、特定のサブフレームにおいて、ＣＱＩ情報を送ってもよい。送るための何のＡＣＫ情報もないとき、例えば、図２中のサブフレームｔにおいて、ＵＥは、ＣＱＩ情報だけを送ってもよい。ＵＥがＰＤＣＣＨを失って、ＡＣＫ情報のためにＤＴＸを送るとき、例えば、図２のサブフレームｔ＋１２において、ＵＥはまた、ＣＱＩ情報だけを送ってもよい。ＵＥがＰＤＣＣＨを受信して、ＰＤＳＣＨをデコードするとき、例えば、図２のサブフレームｔ＋６において、ＵＥはまた、ＣＱＩ情報およびＡＣＫ情報の両方を送ってもよい。図２において示していないが、ＵＥはまた、ＡＣＫ情報だけを送ってもよい。
【００１８】
ＵＥは、さまざまな方法において、ＣＱＩ情報だけをエンコードしてもよく、ＣＱＩ情報およびＡＣＫ情報の両方をエンコードしてもよい。一般的に、ノードＢが、ＵＥによって送られた情報を信頼可能に受信することができるように、ＵＥが、ＣＱＩ情報だけをエンコードして、送ること、あるいは、ＣＱＩ情報およびＡＣＫ情報の両方をエンコードして、送ることが望ましい。
【００１９】
１つの観点では、ＵＥは、線形ブロックコードに基づいて、ＣＱＩ情報だけをエンコードしてもよく、ＣＱＩ情報およびＡＣＫ情報の両方をエンコードしてもよい。以下で説明するように、１つのタイプの情報のＤＴＸが存在するときであっても、ノードＢが情報を回復できるように、ＵＥが異なるタイプの情報を順序付けして、送ってもよい。
【００２０】
ＣＱＩ情報は、Ｍ個のビットを含んでもよく、１つの設計では、Ｍは、何らかの適切な値であってもよく、Ｍ≦１１である。ＡＣＫ情報は、Ｎ個のビットを含んでもよく、１つの設計では、Ｎは、何らかの適切な値であってもよく、Ｎ≦２である。１つの設計では、（３２，６）Ｒｅｅｄ−Ｍｕｌｌｅｒコードから導出されてもよい、（２０，Ｌ）ブロックコードに基づいて、ＣＱＩ情報だけをエンコードしてもよく、ＣＱＩ情報およびＡＣＫ情報の両方をエンコードしてもよく、ここで、Ｌ≧Ｍ＋Ｎである。
【００２１】
一般的に、（Ｒ，Ｃ）Ｒｅｅｄ−Ｍｕｌｌｅｒコードを使用して、最大Ｃ個の情報ビットをエンコードして、Ｒ個のコードビットを発生させてもよい。（Ｒ，Ｃ）Ｒｅｅｄ−Ｍｕｌｌｅｒコードは、Ｒ行とＣ列とを持つ、Ｒ×Ｃ発生器マトリクスＧR×Cによって規定される。Ｒ＝２と、Ｃ＝２を備える（２，２）Ｒｅｅｄ−Ｍｕｌｌｅｒコードに対する発生器マトリクスＧ2×2は、以下のようである。
【数１】
2020017974.tif 000003
【００２２】
（２Ｒ，Ｃ＋１）Ｒｅｅｄ−Ｍｕｌｌｅｒコードに対する発生器マトリクスＧ2R×C+1は、以下のようである。
【数２】
2020017974.tif 000004
【００２３】
ここで、１は、すべての１のＲ×１ベクトルであり、０は、すべてのゼロのＲ×１ベクトルである。
【００２４】
発生器マトリクスＧ32×6によって、（３２，６）Ｒｅｅｄ−Ｍｕｌｌｅｒコードが規定されてもよく、これは、式（１）および（２）に基づいて発生されてもよい。発生器マトリクスＧ32×6の６つの列は、ｖ0からｖ5として表してもよい。（３２，２１）２次Ｒｅｅｄ−Ｍｕｌｌｅｒコードは、Ｇ32×6の６つの列と、Ｇ32×6の異なる潜在的対の線形的な組み合わせによって発生された１５つの追加の列とを含む、発生器マトリクスＧ32×21によって規定されてもよい。例えば、Ｇ32×21の７番目の列は、ｖ0およびｖ1に基づいて発生されてもよく、８番目の列は、ｖ0およびｖ2に基づいて発生されてもよい等であり、最後の列は、列は、ｖ4およびｖ5に基づいて発生されてもよい。
【００２５】
（２０，Ｌ）ブロックコードは、（３２，２１）２次Ｒｅｅｄ−Ｍｕｌｌｅｒコードの、２０行およびＬ列をとることによって、取得されてもよく、ここで、Ｌは、何らかの適切な値であってもよい。（２０，Ｌ）ブロックコードは、２０行およびＬ列を持つ発生器マトリクスＧ20×Lによって、規定されてもよい。Ｇ20×Lのそれぞれの列は、長さ２０の基本シーケンスであってもよく、１情報ビットをエンコードするのに使用されてもよい。表１は、Ｌ＝１３であるケースに対する、（２０，１３）ブロックコードに対する発生器マトリクスＧ20×13を示す。
【表１】
2020017974.tif 000005
【００２６】
Ｋ個の情報ビットのメッセージは、ＣＱＩ情報だけに基づいて規定されてもよく、ＣＱＩ情報およびＡＣＫ情報の両方に基づいて規定されてもよい。メッセージはまた、ワード、入力データ等として呼ばれてもよい。１つのコーディング設計では、以下のように、ＣＱＩ情報を、メッセージのＭ個のＭＳＢに対してマッピングしてもよく、ＡＣＫ情報を、メッセージのＮ個のＬＳＢに対してマッピングしてもよい。
【００２７】
ＣＱＩ情報だけが送られる場合：
【数３】
2020017974.tif 000006
【００２８】
ＣＱＩ情報およびＡＣＫ情報の両方が送られる場合：
【数４】
2020017974.tif 000007
【００２９】
ここで、ａ’kは、ｋ番目のＣＱＩビットであり、ここで、ｋ＝０，・・・，Ｍ−１であり、  
ａ’’kは、ｋ番目のＡＣＫビットであり、ここで、ｋ＝０，・・・，Ｎ−１であり、  ａ0はメッセージのＭＳＢであり、ａK-1はメッセージのＬＳＢである。
【００３０】
メッセージが、Ｋ個の情報ビット、ａ0からａK-1を含み、ここで、ＣＱＩ情報だけが送られる場合、Ｋ＝Ｍであり、ＣＱＩ情報およびＡＣＫ情報の両方が送られる場合、Ｋ＝Ｍ＋Ｎである。メッセージ中のＫ個の情報ビットは、以下のように、（２０，Ｋ）ブロックコードでエンコードされてもよい。
【数５】
2020017974.tif 000008
【００３１】
ここで、ｂiは、ｉ番目のコードビットを表し、“ｍｏｄ”は、モジュロ演算を表す。（２０，Ｋ）ブロックコードは、第１のＫ個の基本シーケンス、または、（２０，Ｌ）ブロックコードの列で形成されてもよい。
【００３２】
式（５）において示したように、それぞれの情報ビットａkは、その情報ビットに対する基本シーケンスのそれぞれのエレメントＭi,kで、ａkを乗算することによって、エンコードされてもよく、エンコードされた基本シーケンスを取得してもよい。Ｋ個の情報ビットに対する、Ｋ個のエンコードされた基本シーケンスは、モジュロ２加算とともに結合されて、コード化ビットｂ0からｂ19からなる出力ビットシーケンス（すなわち、コードワード）を取得してもよい。
【００３３】
式（３）から（５）に示したコーディング設計に対して、ＣＱＩ情報だけが送られる場合、Ｍ個のＣＱＩビットが、（２０，Ｌ）ブロックコードの最初のＭ個の基本シーケンスによって形成される（２０，Ｍ）ブロックコードでエンコードされてもよい。ＣＱＩ情報およびＡＣＫ情報の両方が送られる場合、Ｍ個のＣＱＩビットおよびＮ個のＡＣＫビットが、（２０，Ｌ）ブロックコードの最初のＭ＋Ｎ個の基本シーケンスによって形成される（２０，Ｍ＋Ｎ）個のブロックコードでエンコードされてもよい。Ｍ個のＣＱＩビットが、（２０，Ｌ）ブロックコードの最初のＭ個の基本シーケンスでエンコードされてもよく、Ｎ個のＡＣＫビットが、（２０，Ｌ）ブロックコードの次のＮ個の基本シーケンスでエンコードされてもよい。
【００３４】
１つのＡＣＫマッピング設計では、ＡＣＫビットは、以下のように規定される。
【数６】
2020017974.tif 000009
【００３５】
ここで、ａ’’kは、ｋ番目のトランスポートブロックに対するｋ番目のＡＣＫビットであり、ここで、ｋ＝０，・・・，Ｎ−１である。
【００３６】
図３Ａは、上に説明したコーディングおよびマッピング設計にしたがった、ＣＱＩ情報だけの送信を示す。ＵＥは、ＣＱＩ情報のＭ個のビットを、メッセージのビットａ0からａM-1に対して、マッピングしてもよく、ここで、ａ0はＭＳＢであり、ａM-1は、ＬＳＢである。ＵＥは、ビットａ0からａM-1を、（２０，Ｌ）ブロックコードの最初のＭ個の基本シーケンスによって形成される（２０，Ｍ）ブロックコードでエンコードしてもよく、２０個のコードビットｂ0からｂ19を取得してもよい。ＵＥは、ＰＵＣＣＨ上でコードビットを送ってもよい。ノードＢは、ＣＱＩ情報だけを受信することを予期してもよく、（２０，Ｍ）ブロックコードにしたがって、ＰＵＣＣＨ送信をデコードしてもよい。ノードＢは、最大見込デコーディングを実行してもよく、または、他の何らかのデコーディングアルゴリズムを実現してもよい。ノードＢは、以下のようなＭ個のデコードされたビットを取得してもよく、これらのデコードされたビットをＣＱＩビットとして解釈してもよい。
【数７】
2020017974.tif 000010
【００３７】
図３Ｂは、上に記述したコーディングおよびマッピング設計にしたがった、ＣＱＩ情報およびＡＣＫ情報の両方の送信を示す。ＵＥは、ＣＱＩ情報のＭ個のビットを、メッセージのビットａ0からａM-1に対して、マッピングしてもよく、ＡＣＫ情報のＮ個のビットを、メッセージのビットａMからａM+N-1に対して、マッピングしてもよく、ここで、ａ0はＭＳＢであり、ａM+N-1はＬＳＢである。ＵＥは、（２０，Ｌ）ブロックコードの第１のＭ＋Ｎ基本シーケンスによって形成される（２０，Ｍ＋Ｎ）ブロックコードで、ビットａ0からａM+N-1をエンコードしてもよく、ビットｂ0からｂ19を取得してもよい。ＵＥは、ＰＵＣＣＨ上で、コードビットを送ってもよい。ノードＢは、ＣＱＩ情報およびＡＣＫ情報の両方を受信することを予期していてもよく、（２０，Ｍ＋Ｎ）ブロックコードにしたがって、ＰＵＣＣＨ送信をデコードしてもよい。ノードＢは、以下のようなＭ＋Ｎ個のデコードされたビットを取得してもよい。
【数８】
2020017974.tif 000011
【００３８】
ノードＢは、以下のような最初のＭ個のデコードされたビットをＣＱＩビットとして解釈してもよい。
【数９】
2020017974.tif 000012
【００３９】
ノードＢは、以下のような最後のＮ個のデコードされたビットをＡＣＫビットとして解釈してもよい。
【数１０】
2020017974.tif 000013
【００４０】
図３Ｃは、上に記述したコーディングおよびマッピング設計にしたがった、ＣＱＩ情報と、ＡＣＫ情報に対するＤＴＸとの送信を示す。ＵＥは、ＰＤＣＣＨを失うかもしれず、図３Ａに示すように、（ｉ）ＣＱＩ情報のＭ個のビットを、メッセージのビットａ0からａM-1に対してマッピングすることと、（ｉｉ）ビットａ0からａM-1を、（２０，Ｍ）ブロックコードでエンコードすることとによって、ＣＱＩ情報だけを送るかもしれない。このことは、図３Ｃに示すように、（ｉ）ＣＱＩ情報のＭ個のビットを、ビットａ0からａM-1に対してマッピングすることと、（ｉｉ）Ｎ個のゼロを、ビットａMからａM+N-1に対してマッピングすることと、（ｉｉｉ）ビットａMからａM+N-1を、（２０，Ｍ＋Ｎ）ブロックコードでエンコーディングして、コードビットｂ0からｂ19を取得することによって、ＣＱＩ情報と、ＡＣＫ情報に対するＤＴＸとを送っているＵＥに等しい。図３Ｃのコードビットｂ0からｂ19は、図３Ａ中のコードビットｂ0からｂ19に等しい。ＵＥは、ＰＵＣＣＨ上で、コードビットを送ってもよい。ノードＢは、ＣＱＩ情報とＡＣＫ情報の両方を受け取ることを予期してもよく、（２０，Ｍ＋Ｎ）ブロックコードにしたがって、ＰＵＣＣＨ送信をデコードしてもよい。ノードＢは、以下のようなＭ＋Ｎ個のデコードされたビットを取得してもよい。
【数１１】
2020017974.tif 000014
【００４１】
ノードＢは、以下のような最初のＭ個のデコードされたビットをＣＱＩビットとして解釈してもよい。
【数１２】
2020017974.tif 000015
【００４２】
ノードＢは、以下のような最後のＮ個のデコードされたビットをＡＣＫビットとして解釈してもよい。
【数１３】
2020017974.tif 000016
【００４３】
ＵＥは、Ｎ個のＡＣＫビットに対するＤＴＸを送っているので、ノードＢは、式（６）に示したマッピングによって、ＡＣＫビットに対するＮＡＣＫを受信するだろう。
【００４４】
図３Ａから３Ｃに示し、上に記述したコーディングおよびマッピング設計は、ＵＥがＰＤＣＣＨを失って、（２０，Ｍ）ブロックコードを使用して、ＣＱＩ情報だけを送信するシナリオにおいてさえも、ノードＢが正確にＣＱＩ情報を回復させ、ＤＴＸに対して適切に応答することを可能にしてもよい。特に、図３Ａの（２０，Ｍ）ブロックコードを使用して、Ｍ個のＣＱＩビットを送信することは、図３Ｃの（２０，Ｍ＋Ｎ）ブロックコードを使用して、Ｍ個のＣＱＩビットと、Ｎ個のゼロを送信することに等しい。ノードＢは、ノードＢがＣＱＩ情報とＡＣＫ情報の両方を受け取ることを予期するときに、（２０，Ｍ＋Ｎ）ブロックコードを使用して、ＰＵＣＣＨ送信をデコードしてもよく、Ｍ＋Ｎ個のデコードされたビットを取得してもよい。ノードＢは、Ｍ個のデコードされたＭＳＢをＣＱＩ情報に対するものであるとして解釈してもよく、Ｎ個のデコードされたＬＳＢを、ＡＣＫ情報に対するものであるとして解釈してもよい。ＵＥが、ＡＣＫ情報に対してＤＴＸを送信する場合、（ノードＢによる正確なデコーディングを仮定すると、）ノードＢは、Ｎ個のデコードされたＬＳＢに対するゼロを取得するだろう。ノードＢは、これらのゼロをＮＡＣＫとして解釈してもよく、ＵＥに対して再送信を送ってもよく、これは、ＵＥからのＤＴＸに対する所望のノードＢ応答であるだろう。
【００４５】
図４は、ＰＵＣＣＨ上でフィードバック制御情報を送るためにＵＥによって実行されたプロセス４００の設計を示す。ＵＥは、ＣＱＩ情報および／またはＡＣＫ情報を取得して、送ってもよい（ブロック４１２）。ＵＥは、ＣＱＩ情報だけが送られているかどうかを決定してもよい（ブロック４１４）。答えが‘はい’である場合、ＵＥは、ＭビットのＣＱＩ情報を、（２０，Ｍ）ブロックコードでエンコードし（ブロック４１６）、ＰＵＣＣＨ上でコードビットを送ってもよい（ブロック４１８）。
【００４６】
ブロック４１４に対する答えが‘いいえ’であった場合、ＵＥは、ＣＱＩ情報およびＡＣＫ情報の両方が送られているかどうかを決定してもよい。答えが‘はい’である場合、ＵＥは、ＣＱＩ情報を、Ｍ個のＭＳＢに対してマッピングし、ＡＣＫ情報を、Ｎ個のＬＳＢに対してマッピングしてもよい（ブロック４２４）。ＵＥは、Ｍ個のＭＳＢと、Ｎ個のＬＳＢとを、（２０，Ｍ＋Ｎ）ブロックコードでエンコードしてもよく（ブロック４２６）、ＰＵＣＣＨ上で、コードビットを送ってもよい（ブロック４２８）。
【００４７】
ブロック４２２に対する答えが‘いいえ’であった場合、ＡＣＫ情報だけが送られている。ＵＥは、ＡＣＫ情報をエンコードしてもよく（ブロック４３２）、コードビットをＰＵＣＣＨ上で送ってもよい（ブロック４３４）。
【００４８】
図５は、ノードＢによって実行されて、ＵＥからのフィードバック制御情報を受信するプロセス５００の設計を示す。ノードＢは、ＵＥからのＰＵＣＣＨ上の送信を受信してもよい（ブロック５１２）。ノードＢは、ＵＥからのＣＱＩ情報だけが予期されるかどうかを決定してもよい（ブロック５１４）。ブロック５１４に対する答えが‘はい’であった場合、これは、何のデータもＵＥに対して送られていないケースであるが、ノードＢは、受信した送信を、（２０，Ｍ）ブロックコードに基づいてデコードして、Ｍ個のデコードされたビットを取得してもよい（ブロック５１６）。ノードＢは、これらのＭ個のデコードされたビットを、Ｍ個のＣＱＩビットとして提供してもよい（ブロック５１８）。
【００４９】
ブロック５１４に対する答えが‘いいえ’であった場合、ノードＢは、Ｕからの、ＣＱＩ情報およびＡＣＫ情報の両方が予期されるかどうかを決定してもよい（ブロック５２２）。ブロック５２２に対する答えが‘はい’であった場合、これは、ＵＥに対してデータが送られたケースであってもよいが、ノードＢは、受信した送信を、（２０，Ｍ＋Ｎ）ブロックコードに基づいてデコードして、Ｍ＋Ｎ個のデコードされたビットを取得してもよい（ブロック５２４）。ノードＢが、Ｍ個のＣＱＩビットとして、Ｍ個のＭＳＢのデコードされたビットを提供してもよく（ブロック５２６）、Ｎ個のＡＣＫビットとして、Ｎ個のＬＳＢのデコードされたビットを提供してもよい（ブロック５２８）。ノードＢは、ＮＡＣＫ／ＤＴＸとしてＡＣＫビットに対するゼロを解釈してもよい（ブロック５３０）。ブロック５２２に対する答えが‘いいえ’であった場合、ノードＢは、受信した送信をデコードして、ＡＣＫビットを取得してもよい（ブロック５３２）。
【００５０】
図３Ａから５において示したコーディングおよびマッピングの設計は、ＡＣＫ情報に対するＤＴＸの送信によるデコーディングエラーを回避してもよい。デコーディングエラーは、ＡＣＫ情報が、Ｎ個のＭＳＢに対してマッピングされ、ＣＱＩ情報が、Ｍ個のＬＳＢに対してマッピングされる代替の設計（これは、図３Ａから３Ｃにおいて示したコーディング設計の反対である）において発生するかもしれない。この代替の設計では、ＣＱＩ情報だけが送られている場合、Ｍ個のＣＱＩビットが、（２０，Ｌ）ブロックコードの最初のＭ個の基本シーケンスでエンコードされてもよい。ＣＱＩ情報およびＡＣＫ情報の両方が送られている場合、Ｎ個のＡＣＫビットが、（２０，Ｌ）ブロックコードの最初のＮ個の基本シーケンスでエンコードされてもよく、Ｍ個のＣＱＩビットが、（２０，Ｌ）ブロックコードの次のＭ個の基本シーケンスでエンコードされてもよい。ＵＥは、ＰＤＣＣＨを失うかもしれず、（２０，Ｌ）ブロックコードの最初のＭ個の基本シーケンスによって形成された（２０，Ｍ）ブロックコードを使用して、ＣＱＩ情報だけを送るかもしれない。ノードＢは、ＣＱＩ情報およびＡＣＫ情報の両方を予期するかもしれず、（２０，Ｌ）ブロックコードの最初のＮ＋Ｍ個の基本シーケンスによって形成された（２０，Ｎ＋Ｍ）ブロックコードに基づいて、デコードするかもしれない。ノードＢは、最初のＮ個の基本シーケンスに対するＮ個のデコードされたビットを取得するかもしれず、これらのＮ個のデコードされたビットを、ＡＣＫ情報に対するものであるとして解釈するかもしれない。ノードＢは、次のＭ個の基本シーケンスに対するＭ個のデコードされたビットを取得するかもしれず、これらのＭ個のデコードされたビットを、ＣＱＩ情報に対するものであるとして解釈するかもしれない。ＵＥによって送られた、ＡＣＫビットとして解釈されたＮ個のデコードされたビットは、実際には、ＣＱＩ情報のＮ個のＭＳＢであるため、ノードＢは、間違ったＡＣＫ情報を得ることになるかもしれない。ＣＱＩビットとして解釈されたＭ個のデコードされたビットは、実際には、ＣＱＩ情報のＭ−Ｎ個のＬＳＢと、Ｎ個のビットのＤＴＸとであるため、ノードＢは、間違ったＣＱＩ情報を得ることになるかもしれない。図３Ａから５における設計は、これらのエラーを回避する。
【００５１】
コンピュータシュミレーションを実行して、（ｉ）（図３Ｂにおいて示したような）ＣＱＩ情報が、ＭＳＢに対してマッピングされ、ＡＣＫ情報が、ＬＳＢに対してマッピングされる、第１のマッピングスキームと、（ｉｉ）ＡＣＫ情報が、ＭＳＢに対してマッピングされ、ＣＱＩ情報が、ＬＳＢに対してマッピングされる、第２のマッピングスキーム（代替の設計）とに対するデコーディング性能を決定する。コンピュータシュミレーションの結果は、以下のグラフによって要約される。
【００５２】
図６Ａは、（２０，１３）ブロックコードの最初の６個の基本シーケンスで形成された（２０，６）ブロックコードを使用して、５ＣＱＩビットおよび１ＡＣＫビットを有するシナリオに対する、第１のマッピングスキームおよび第２のマッピングスキームに対するデコーディング性能のグラフを示す。横軸は、受信された信号品質を表し、これは、シンボル毎エネルギー対総雑音比（Ｅｓ／Ｎｔ）において与えられる。縦軸は、ブロックエラーレート（ＢＬＥＲ）を表す。第１のマッピングスキームに対して、ＣＱＩ情報のデコーディング性能がグラフ６１２によって示されており、ＡＣＫ情報のデコーディング性能がグラフ６１４によって示されている。第２のマッピングスキームに対して、ＣＱＩ情報のデコーディング性能がグラフ６２２によって示されており、ＡＣＫ情報のデコーディング性能がグラフ６２４によって示されている。
【００５３】
図６Ｂは、（２０，１３）ブロックコードの最初の１０個の基本シーケンスで形成された（２０，１０）ブロックコードを使用して、８ＣＱＩビットおよび２ＡＣＫビットを有するシナリオに対する、第１のマッピングスキームおよび第２のマッピングスキームに対するデコーディング性能のグラフを示す。第１のマッピングスキームに対して、ＣＱＩ情報のデコーディング性能がグラフ６３２によって示されており、ＡＣＫ情報のデコーディング性能がグラフ６３４によって示されている。第２のマッピングスキームに対して、ＣＱＩ情報のデコーディング性能がグラフ６４２によって示されており、ＡＣＫ情報のデコーディング性能がグラフ６４４によって示されている。
【００５４】
図６Ａおよび６Ｂにおいて示したように、２つのマッピングスキームに対して、類似したデコーディング性能が得られる。コンピュータシミュレーションは、ＡＣＫ情報を、ＬＳＢまたはＭＳＢに対してマッピングすることは、加算性白色ガウス雑音（ＡＷＧＮ）チャネルにおいて（２０，１３）ブロックコードを使用するものと同様のデコーディング性能を提供することを示す。（２０，１３）ブロックコードが、すべての情報ビットに対する等しい保護を提供することと、ＡＣＫ情報をＭＳＢまたはＬＳＢのいずれかに対してマッピングすることは、デコーディング性能に最小の影響しか与えないこととを、コンピュータシュミレーションが示唆する。
【００５５】
明瞭さのために、Ｒｅｅｄ−Ｍｕｌｌｅｒコードに基づいて導出されるブロックコードに対して、技術を上に詳細に記述してきた。技術はまた、Ｒｅｅｄ−Ｓｏｌｏｍｏｎコード等のような、他のタイプのブロックコードに対して使用されてもよい。
【００５６】
また、明瞭さのために、ＣＱＩ情報だけの送信、または、ＣＱＩ情報およびＡＣＫ情報の両方の送信に対して、技術を上に詳細に記述してきた。一般的に、技術を使用して、第１の情報および第２の情報を送ってもよく、これらのそれぞれは、任意のタイプの情報であってもよい。第１の情報は、Ｍ個のＭＳＢに対してマッピングされてもよく、ここで、Ｍ≧１である。第２の情報は、それが送られる場合、Ｎ個のＬＳＢに対してマッピングされてもよく、ここでＮ≧１である。Ｍ個のＭＳＢと、Ｎ個のＬＳＢは、Ｍ個のＭＳＢに対する第１のサブコードと、Ｎ個のＬＳＢに対する第２のサブコードを含むブロックコードでエンコードされてもよい。第１のサブコードは、第１の情報だけをエンコードするのに使用されるブロックコードに等しくてもよい。このことは、第１の情報が、単独で送られるか、第２の情報とともに送られるかにかかわらず、受信機が、第１の情報を回復させることを可能にする。第２の情報のＤＴＸが、受信機による適切なアクションをもたらすことになるように、第２の情報はまた、規定されていてもよい。
【００５７】
図７は、通信システムにおいて、情報を送るためのプロセス７００の設計を示す。プロセス７００は、（以下に記述するように、）ＵＥによって、または、他の何らかのエンディディによって実行されてもよい。ＵＥは、第１の情報（例えば、ＣＱＩ情報）を、メッセージのＭ個のＭＳＢに対してマッピングしてもよく、ここで、Ｍは、１であるか、または、１より大きい（ブロック７１２）。第２の情報が送られる場合、ＵＥは、第２の情報（例えば、ＡＣＫ情報）を、メッセージのＮ個のＬＳＢに対してマッピングしてもよく、ここで、Ｎは、１または、１より大きくてもよい（ブロック７１４）。第１の情報は、メッセージ中で、単独で送られてもよく、または、第２の情報とともに送られてもよい。第２の情報は、メッセージ中で、第１の情報とともに送られてもよく、送られなくてもよい。ＵＥは、ブロックコードでメッセージをエンコードして、出力ビットシーケンスを取得してもよい（ブロック７１６）。ＵＥは、ＰＵＣＣＨ上で、出力ビットシーケンスを送ってもよい（ブロック７１８）。
【００５８】
図８は、図７のブロック７１６の設計を示す。ブロックコードは、Ｒｅｅｄ−Ｍｕｌｌｅｒコードに基づいて導出されてもよく、および／または、複数の情報ビットに対する複数の基本シーケンスを含んでいてもよい。ＵＥは、ブロックコードの最初のＭ個の基本シーケンスで、メッセージのＭ個のＭＳＢをエンコードしてもよい（ブロック８１２）。第２の情報が送られる場合、ＵＥは、ブロックコードの次のＮ個の基本シーケンスで、メッセージのＮ個のＬＳＢをエンコードしてもよい（ブロック８１４）。
【００５９】
１つの設計では、ＣＱＩ情報だけが送られる場合、メッセージはＭ個のビットを含んでいてもよく、ブロックコードのＭ個の基本シーケンスでエンコードされてもよい。ＣＱＩ情報およびＡＣＫ情報の両方が送られる場合、メッセージは、ＭプラスＮビットを含んでいてもよく、ブロックコードの最初のＭプラスＮの基本シーケンスでエンコードされてもよい。１つの設計では、ＵＥは、Ｎ個のＡＣＫビットのそれぞれを、ＡＣＫに対する第１の値（例えば、‘１’）に、または、ＮＡＣＫに対する第２の値（例えば、‘０’）にセットしてもよい。第２の値はまた、ＡＣＫ情報のＤＴＸに対しても使用されてもよい。ＡＣＫ情報は、Ｎ個のＡＣＫビットを含んでいてもよい。
【００６０】
図９は、通信システムにおいて、情報を送るための装置９００の設計を示す。装置９００は、第１の情報を、メッセージのＭ個のＭＳＢに対してマッピングするモジュール９１２と、第２の情報を、メッセージのＮ個のＬＳＢに対してマッピングするモジュール９１４と、ブロックコードでメッセージをエンコードして、出力ビットシーケンスを取得するモジュール９１６と、ＰＵＣＣＨ上で、出力ビットシーケンスを送るモジュール９１８と具備する。
【００６１】
図１０は、通信システムにおいて情報を送るためのプロセス１０００の設計を示す。プロセス１０００は、（以下に記述するように、）ＵＥによって、または、他の何らかのエンティティによって、実行されてもよい。ＵＥは、第１の情報（例えば、ＣＱＩ情報）だけが送られる場合、第１のブロックコードに基づいて、第１の情報をエンコードしてもよい（ブロック１０１２）。ＵＥは、第１の情報および第２の情報（例えば、ＡＣＫ情報）の両方が送られる場合、第２のブロックコードに基づいて、第１の情報および第２の情報をエンコードしてもよい（ブロック１０１４）。第２のブロックコードは、第１の情報に対する第１のサブコードと、第２の情報に対する第２のサブコードとを含む。第１のサブコードは、第１のブロックコードに対応していてもよい。例えば、第１のブロックコードと、第１のサブコードとは、基本ブロックコードの最初のＭ個の基本シーケンスを含んでいてもよく、第２のサブコードは、基本ブロックコードの次のＮ個の基本シーケンスを含んでいてもよく、第２のブロックコードは、基本ブロックコードの最初のＭプラスＮ個の基本シーケンスを含んでいてもよい。
【００６２】
１つの設計では、ＵＥは、Ｎ個のビットのそれぞれを、ＡＣＫに対する第１の値に、または、ＮＡＣＫに対する第２の値にセットしてもよく、ここでＮは、１であるか、または、１より大きい。第２の値はまた、第２の情報のＤＴＸに対して使用されてもよい。第２の情報は、Ｎ個のビットを含んでいてもよい。
【００６３】
図１１は、通信システムにおいて情報を送るための装置１１００の設計を示す。装置１１００は、第１の情報（例えば、ＣＱＩ情報）だけが送られる場合、第１のブロックコードに基づいて、第１の情報をエンコードするモジュール１１１２と、第１の情報および第２の情報（例えば、ＡＣＫ情報）の両方が送られる場合、第２のブロックコードに基づいて、第１の情報および第２の情報をエンコードするモジュール１１１４とを具備してもよい。第２のブロックコードは、第１の情報に対する第１のサブコードと、第２の情報に対する第２のサブコードとを含む。第１のサブコードは、第１のブロックコードに対応していてもよい。
【００６４】
図１２は、通信システムにおいて情報を受信するためのプロセス１２００の設計を示す。プロセス１２００は、ノードＢによって、または、他の何らかのエンティティによって、実行されてもよい。ノードＢは、受信した送信を、ブロックコードに基づいてデコードして、複数のビットを含むデコードされたメッセージを取得してもよい（ブロック１２１２）。ノードＢは、第１の情報（例えば、ＣＱＩ情報）として、デコードされたメッセージのＭ個のＭＳＢを提供してもよく、ここでＭは、１であるか、または、１より大きい（ブロック１２１４）。ノードＢは、第２の情報（例えば、ＡＣＫ情報）として、デコードされたメッセージのＮ個のＬＳＢを提供してもよく、ここでＮは、１であるか、または、１より大きい（ブロック１２１６）。受信された送信は、第１の情報だけを含んでいてもよく、または、第１の情報および第２の情報の両方を含んでいてもよい。
【００６５】
ブロックコードは、Ｒｅｅｄ−Ｍｕｌｌｅｒコードに基づいて導出されてもよく、および／または、複数の情報ビットに対する複数の基本シーケンスを含んでもよい。ブロック１２１６の１つの設計では、ノードＢは、ブロックコードの第１のＭプラスＮ個の基本シーケンスに基づいて、受信された送信をデコードして、デコードされたメッセージを取得してもよい。デコードされたメッセージのＭ個のＭＳＢは、ブロックコードの最初のＭ個の基本シーケンスに基づいて取得されてもよい。デコードされたメッセージのＮ個のＬＳＢは、ブロックコードの次のＮ個の基本シーケンスに基づいて取得されてもよい。１つの設計では、デコードされたメッセージのＮ個のＬＳＢの間に、それぞれのビットに対して、ノードＢは、ビットが第１の値を持つ場合、ＡＣＫを提供してもよく、ビットが第２の値を持つ場合、ＮＡＣＫを提供してもよい。第２の値はまた、ＡＣＫ情報のＤＴＸに対して使用されてもよい。
【００６６】
１つの設計では、ノードＢは、ＰＵＣＣＨ上で受信された送信を取得してもよい。受信された送信は、ＣＱＩ情報だけが送られる場合、第１の出力ビットシーケンスを含んでいてもよく、ＣＱＩ情報およびＡＣＫ情報の両方が送られる場合、第２の出力ビットシーケンスを含んでいてもよい。第１の出力ビットシーケンスは、ブロックコードの最初のＭ個の基本シーケンスで、ＭビットのＣＱＩ情報をエンコードすることによって、取得されてもよい。第２の出力ビットシーケンスは、（ｉ）ブロックコードの最初のＭ個の基本シーケンスで、ＭビットのＣＱＩ情報をエンコードすることと、（ｉｉ）ブロックコードの次のＮ個の基本シーケンスで、ＮビットのＡＣＫ情報をエンコードすることとによって、取得されてもよい。
【００６７】
図１３は、通信システムにおいて情報を受信するための装置１３００の設計を示す。装置１３００は、受信した送信を、ブロックコードに基づいてデコードして、複数のビットを含むデコードされたメッセージを取得するモジュール１３１２と、第１の情報として、デコードされたメッセージのＭ個のＭＳＢを提供するモジュール１３１４と、第２の情報として、デコードされたメッセージのＮ個のＬＳＢを提供するモジュール１３１６とを具備する。受信された送信は、第１の情報だけを含んでいてもよく、または、第１の情報および第２の情報の両方を含んでいてもよい。
【００６８】
図１４は、通信システムにおいて情報を受信するためのプロセス１４００の設計を示す。プロセス１４００は、（以下に記述するように、）ノードＢによって、または、他の何らかのエンティティによって、実行されてもよい。ノードＢは、受信した送信から、第１の情報（例えば、ＣＱＩ情報）だけが予期される場合、受信した送信を、第１のブロックコードに基づいてデコードしてもよい（ブロック１４１２）。受信した送信から、第１および第２の情報（例えば、ＡＣＫ情報）の両方が予期される場合、受信した送信を、第２のブロックコードに基づいてデコードしてもよい（ブロック１４１４）。第２のブロックコードは、第１の情報に対する第１のサブコードと、第２の情報に対する第２のサブコードとを含む。第１のサブコードは、第１のブロックコードに対応してもよい。
【００６９】
１つの設計では、受信された送信から、第２の情報が予期される場合、第２の情報に対する少なくとも１つのデコードされたビットのそれぞれに対して、ノードＢは、そのビットが第１の値を持つ場合はＡＣＫを提供し、そのビットが第２の値を持つ場合はＮＡＣＫを提供する。第２の値はまた、第２の情報のＤＴＸに対して使用されてもよい。
【００７０】
図１５は、通信システムにおいて情報を受信するための装置１５００の設計を示す。装置１５００は、受信した送信から、第１の情報（例えば、ＣＱＩ情報）だけが予期される場合、受信した送信を、第１のブロックコードに基づいてデコードするモジュール１５１２と、受信した送信から、第１および第２の情報（例えば、ＡＣＫ情報）の両方が予期される場合、受信した送信を、第２のブロックコードに基づいてデコードするモジュール１５１４とを具備する。第２のブロックコードは、第１の情報に対する第１のサブコードと、第２の情報に対する第２のサブコードとを含む。第１のサブコードは、第１のブロックコードに対応してもよい。
【００７１】
図９、１１、１３、および１５におけるモジュールは、プロセッサ、電子的デバイス、ハードウェアデバイス、電子的コンポーネント、論理回路、メモリ、ソフトウェアコード、ファームウェアコード等、または、これらの任意の組み合わせを含んでいてもよい。
【００７２】
図１６は、ノードＢ１１０と、ＵＥ１２０との設計のブロック図を示し、これは、図１のノードＢのうちの１つであってもよく、図１のＵＥのうちの１つであってもよい。この設計では、ノードＢ１１０は、Ｔ個のアンテナ１６３４ａから１６３４ｔを備えており、ＵＥ１２０は、Ｒ個のアンテナ１６５２ａから１６５２ｒを備えており、ここで、一般的に、Ｔ≧１、および、Ｒ≧１である。
【００７３】
ノードＢ１１０において、送信プロセッサ１６２０は、１つ以上のＵＥに対するデータを、データ源１６１２から受け取って、そのＵＥに対して選択された１つ以上のトランスポートフォーマットに基づいて、各ＵＥに対するデータを処理（例えば、エンコード、インターリーブし、変調）して、すべてのＵＥに対するデータシンボルを提供してもよい。送信プロセッサ１６２０は、また、制御装置／プロセッサ１６４０からの制御情報を処理して、制御シンボルを提供してもよい。送信（ＴＸ）複数入力複数出力（ＭＩＭＯ）プロセッサ１６３０は、データシンボル、制御シンボル、および／または、パイロットシンボルを多重化してもよい。ＴＸ  ＭＩＭＯプロセッサ１６３０は、多重化されたシンボルに、空間的処理（例えば、プレコーディング）を実行してもよく、適用可能な場合、Ｔ個の変調器（ＭＯＤ）１６３２ａから１６３２ｔに対して、Ｔ個の出力シンボルストリームを提供する。各変調器１６３２は、（例えば、ＯＦＤＭに対する）それぞれの出力シンボルストリームを処理して、出力サンプルストリームを取得してもよい。各変調器１６３２は、出力サンプルストリームをさらに処理（例えば、アナログに変換し、増幅し、フィルタし、および、アップコンバート）して、ダウンリンク信号を取得してもよい。変調器１６３２ａから１６３２ｔからのダウンリンク信号は、それぞれ、アンテナ１６３４ａから１６３４ｔを介して送信されてもよい。
【００７４】
ＵＥ１２０において、アンテナ１６５２ａから１６５２ｒは、ノードＢ１１０からのダウンリンク信号を受信して、受信した信号を、復調器（ＤＥＭＯＤ）１６５４ａから１６５４ｒに対してそれぞれ提供してもよい。各復調器１６５４は、それぞれの受信信号を調整（例えば、フィルタし、増幅し、ダウンコンバートし、および、デジタル化）して、受信サンプルを取得してもよい。各復調器１６５４は、（例えば、ＯＦＤＭに対する）受信サンプルをさらに処理して、受信されたシンボルを取得してもよい。ＭＩＭＯ検出器１６５６は、すべてのＲ個の復調器１６５４ａから１６５４ｒからの受信シンボルを取得してもよく、適用可能な場合、受信シンボルにＭＩＭＯ検出を実行して、検出されたシンボルを提供してもよい。受信機プロセッサ１６５８は、検出されたシンボルを処理（例えば、復調し、デインターリーブし、および、デコード）して、デコードされた制御情報を制御装置／プロセッサ１６８０に対して提供してもよく、ＵＥ１２０に対するデコードされたデータを、データシンク１６６０に対して提供してもよい。
【００７５】
アップリンク上で、ＵＥ１２０において、データ源１６６２からのデータと、制御装置／プロセッサ１６８０からの制御情報（例えば、ＣＱＩ情報、ＡＣＫ情報、等）とは、送信プロセッサ１６６４によって処理されてもよく、適応可能な場合、ＴＸ  ＭＩＭＯプロセッサ１６６６によってプレコードされ、変調器１６５４ａから１６５４ｒによって調整され、ノードＢ１１０に対して送信されてもよい。ノードＢ１１０において、ＵＥ１２０からのアップリンク信号は、アンテナ１６３４によって受信され、復調器１６３２によって調整されてもよく、適応可能な場合、ＭＩＭＯ検出器１６３６によって処理され、受信プロセッサ１６３６によってさらに処理されて、ＵＥ１２０によって送信されたデータおよび制御情報を取得してもよい。
【００７６】
制御装置／プロセッサ１６４０および１６８０は、それぞれ、ノードＢ１１０およびＵＥ１２０における動作を指示してもよい。ＵＥ１２０における、プロセッサ１６８０、および／または、他のプロセッサ／モジュール（ならびに、ノードＢ１１０におけるプロセッサ１６４０、および／または、他のプロセッサ／モジュール）は、図４中のプロセス４００、図７中のプロセス７００、図８中のプロセス７１６、図１０中のプロセス１０００、および／または、ここで記述した技術に対する、他のプロセスを実行、あるいは、指示してもよい。ノードＢ１１０におけるプロセッサ１６４０、および／または、他のモジュール（ならびに、ＵＥ１２０における、プロセッサ１６８０、および／または、他のプロセッサ／モジュール）は、図５中のプロセス５００、図１２中のプロセス１２００、図１４中のプロセス１４００、および／または、ここで記述した技術に対する、他のプロセスを実行、あるいは、指示してもよい。メモリ１６４２および１６８２は、それぞれ、ノードＢ１１０およびＵＥ１２０に対するデータとプログラムコードを記憶してもよい。スケジューラ１６４４は、ダウンリンクおよび／またはアップリンク送信に対してＵＥをスケジュールしてもよく、スケジュールされたＵＥに対するリソース割当を提供してもよい。
【００７７】
当業者は、さまざまな異なる技術および技法を使用して、情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００７８】
ここでの開示に関連して述べた、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するであろう。ハードウェアおよびソフトウェアの交換可能性を明確に図示するために、さまざまな例示的なコンポーネント、ブロック、モジュール、回路およびステップを一般的にこれらの機能に関して上述した。このような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、このような実現決定は、本発明の範囲からの逸脱を生じさせるものとして解釈すべきではない。
【００７９】
ここでの開示に関連して述べた、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで述べてきた機能を実施するために設計されたこれらの組み合わせで、実現されるか、あるいは、実施されてもよい。汎用プロセッサはマイクロプロセッサであってもよいが、代替実施形態では、プロセッサは、何らかの従来のプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００８０】
ここでの開示に関連して述べた、方法またはアルゴリズムのステップは、直接、ハードウェアで、プロセッサにより実行されるソフトウェアモジュールで、あるいは、２つの組み合わせで具体化してもよい。ソフトウェアモジュールは、ＲＡＭメモリ、フラッシュメモリ、ＲＯＭメモリ、電気的プログラム可能ＲＯＭ（ＥＰＲＯＭ）メモリ、電気的消去可能プログラム可能ＲＯＭ（ＥＥＰＲＯＭ（登録商標））メモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されてもよい。プロセッサおよび記憶媒体は、ＡＳＩＣに存在してもよい。ＡＳＩＣはユーザ端末に存在してもよい。代替実施形態では、プロセッサおよび記憶媒体は、ユーザ端末中のディスクリートコンポーネントとして存在してもよい。
【００８１】
１つ以上の例示的な設計において、説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令またはコードとして記憶させてもよく、あるいは、コンピュータ読取可能媒体上で送信してもよい。コンピュータ読取可能媒体は、コンピュータ記憶媒体と、ある場所から別の場所へのコンピュータプログラムの転送を容易にさせる任意の媒体を含む通信媒体との両方を含む。記憶媒体は、コンピュータによってアクセスされることができる任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。また、任意の接続は、厳密にコンピュータ読取可能媒体として呼ばれる。例えば、ソフトウェアが、ウェブサイト、サーバ、または、他の遠隔源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、媒体の定義に含まれるものとする。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。上記のものの組み合わせがまた、コンピュータ読取可能媒体の範囲内に含まれるだろう。
【００８２】
本開示のこれまでの記述は、当業者が本発明を製作または使用できるように提供した。本開示に対するさまざま改良は当業者に容易に明らかとなり、ここに定義された一般的な原理は、本発明の精神および範囲を逸脱することなく、他の変形に適用されてもよい。したがって、本発明はここに示された例および設計に限定されることを意図しているものではなく、ここで開示されている原理および新しい特徴と一致した最も広い範囲に一致させるべきである。
【図１】
2020017974.tif 000017
【図２】
2020017974.tif 000018
【図３Ａ】
2020017974.tif 000019
【図３Ｂ】
2020017974.tif 000020
【図３Ｃ】
2020017974.tif 000021
【図４】
2020017974.tif 000022
【図５】
2020017974.tif 000023
【図６Ａ】
2020017974.tif 000024
【図６Ｂ】
2020017974.tif 000025
【図７】
2020017974.tif 000026
【図８】
2020017974.tif 000027
【図９】
2020017974.tif 000028
【図１０】
2020017974.tif 000029
【図１１】
2020017974.tif 000030
【図１２】
2020017974.tif 000031
【図１３】
2020017974.tif 000032
【図１４】
2020017974.tif 000033
【図１５】
2020017974.tif 000034
【図１６】
2020017974.tif 000035
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
通信システム中で情報を送る方法において、
メッセージのＭ個の上位ビット（ＭＳＢ）に対して、第１の情報をマッピングし、ここで、Ｍは１であるか、または、１より大きいことと、
第２の情報が送られる場合、前記メッセージのＮ個の下位ビット（ＬＳＢ）に対して、前記第２の情報をマッピングし、ここで、Ｎは１であるか、または、１より大きいことと、
ブロックコードで、前記メッセージをエンコードすることと
を含み、
前記第１の情報は、前記メッセージ中で、単独で、または、前記第２の情報とともに送られ、
前記第２の情報は、前記メッセージ中で、前記第１の情報とともに送られるか、または、送られない方法。
【手続補正２】
【補正対象書類名】明細書
【補正対象項目名】００８２
【補正方法】変更
【補正の内容】
【００８２】
本開示のこれまでの記述は、当業者が本発明を製作または使用できるように提供した。本開示に対するさまざま改良は当業者に容易に明らかとなり、ここに定義された一般的な原理は、本発明の精神および範囲を逸脱することなく、他の変形に適用されてもよい。したがって、本発明はここに示された例および設計に限定されることを意図しているものではなく、ここで開示されている原理および新しい特徴と一致した最も広い範囲に一致させるべきである。
以下に、本願の出願当初の特許請求の範囲に記載された発明を付記する。
［Ｃ１］
通信システム中で情報を送る方法において、
メッセージのＭ個の上位ビット（ＭＳＢ）に対して、第１の情報をマッピングし、ここで、Ｍは１であるか、または、１より大きいことと、
第２の情報が送られる場合、前記メッセージのＮ個の下位ビット（ＬＳＢ）に対して、前記第２の情報をマッピングし、ここで、Ｎは１であるか、または、１より大きいことと、
ブロックコードで、前記メッセージをエンコードすることと
を含み、
前記第１の情報は、前記メッセージ中で、単独で、または、前記第２の情報とともに送られ、
前記第２の情報は、前記メッセージ中で、前記第１の情報とともに送られるか、または、送られない方法。
［Ｃ２］
前記ブロックコードは、複数の情報ビットに対する複数の基本シーケンスを含み、
ブロックコードで、前記メッセージをエンコードすることは、
前記ブロックコードの最初のＭ個の基本シーケンスで、前記メッセージのＭ個のＭＳＢをエンコードすることと、
前記第２の情報が送られる場合、前記ブロックコードの次のＮ個の基本シーケンスで、前記メッセージのＮ個のＬＳＢをエンコードすることと
を含む、Ｃ１記載の方法。
［Ｃ３］
前記第１の情報は、チャネル品質インジケータ（ＣＱＩ）情報を含み、前記第２の情報は、肯定応答（ＡＣＫ）情報を含む、Ｃ１記載の方法。
［Ｃ４］
Ｎ個の肯定応答（ＡＣＫ）ビットのそれぞれを、ＡＣＫに対する第１の値に、または、否定肯定応答（ＮＡＣＫ）に対する第２の値にセットすることをさらに含み、
前記第２の値はまた、ＡＣＫ情報の断続的送信（ＤＴＸ）に対しても使用され、
前記第２の情報は、前記Ｎ個のＡＣＫビットを含む、Ｃ１記載の方法。
［Ｃ５］
前記ブロックコードは、Ｒｅｅｄ−Ｍｕｌｌｅｒコードに基づいて導出される、Ｃ１記載の方法。
［Ｃ６］
少なくとも１つのプロセッサを具備する、通信のための装置において、
前記少なくとも１つのプロセッサは、
メッセージのＭ個の上位ビット（ＭＳＢ）に対して、第１の情報をマッピングし、
第２の情報が送られる場合、前記メッセージのＮ個の下位ビット（ＬＳＢ）に対して、前記第２の情報をマッピングし、
ブロックコードで、前記メッセージをエンコードする
ように構成されており、
ここで、Ｍは１であるか、または、１より大きく、
ここで、Ｎは１であるか、または、１より大きく、
前記第１の情報は、前記メッセージ中で、単独で、または、前記第２の情報とともに送られ、
前記第２の情報は、前記メッセージ中で、前記第１の情報とともに送られるか、または、送られない装置。
［Ｃ７］
前記ブロックコードは、複数の情報ビットに対する複数の基本シーケンスを含み、
前記少なくとも１つのプロセッサは、
前記ブロックコードの最初のＭ個の基本シーケンスで、前記メッセージのＭ個のＭＳＢをエンコードし、
前記第２の情報が送られる場合、前記ブロックコードの次のＮ個の基本シーケンスで、前記メッセージのＮ個のＬＳＢをエンコードする
ように構成されている、Ｃ６記載の装置。
［Ｃ８］
前記少なくとも１つのプロセッサは、
Ｎ個の肯定応答（ＡＣＫ）ビットのそれぞれを、ＡＣＫに対する第１の値に、または、否定肯定応答（ＮＡＣＫ）に対する第２の値にセットするように構成されており、
前記第２の値はまた、ＡＣＫ情報の断続的送信（ＤＴＸ）に対しても使用され、
前記第２の情報は、前記Ｎ個のＡＣＫビットを含む、Ｃ６記載の装置。
［Ｃ９］
通信のための装置において、
メッセージのＭ個の上位ビット（ＭＳＢ）に対して、第１の情報をマッピングする手段と、
第２の情報が送られる場合、前記メッセージのＮ個の下位ビット（ＬＳＢ）に対して、前記第２の情報をマッピングする手段と、
ブロックコードで、前記メッセージをエンコードする手段と
を具備し、
ここで、Ｍは１であるか、または、１より大きく、
ここで、Ｎは１であるか、または、１より大きく、
前記第１の情報は、前記メッセージ中で、単独で、または、前記第２の情報とともに送られ、
前記第２の情報は、前記メッセージ中で、前記第１の情報とともに送られるか、または、送られない装置。
［Ｃ１０］
前記ブロックコードは、複数の情報ビットに対する複数の基本シーケンスを含み、
前記ブロックコードで、前記メッセージをエンコードする手段は、
前記ブロックコードの最初のＭ個の基本シーケンスで、前記メッセージのＭ個のＭＳＢをエンコードする手段と、
前記第２の情報が送られる場合、前記ブロックコードの次のＮ個の基本シーケンスで、前記メッセージのＮ個のＬＳＢをエンコードする手段と
を備える、Ｃ９記載の装置。
［Ｃ１１］
Ｎ個の肯定応答（ＡＣＫ）ビットのそれぞれを、ＡＣＫに対する第１の値に、または、否定肯定応答（ＮＡＣＫ）に対する第２の値にセットする手段をさらに具備し、
前記第２の値はまた、ＡＣＫ情報の断続的送信（ＤＴＸ）に対しても使用され、
前記第２の情報は、前記Ｎ個のＡＣＫビットを含む、Ｃ９記載の装置。
［Ｃ１２］
コンピュータ読取可能媒体を備えるコンピュータプログラム製品において、
前記コンピュータ読取可能媒体は、
少なくとも１つのコンピュータに、メッセージのＭ個の上位ビット（ＭＳＢ）に対して、第１の情報をマッピングさせるためのコードと、
前記少なくとも１つのコンピュータに、第２の情報が送られる場合、前記メッセージのＮ個の下位ビット（ＬＳＢ）に対して、前記第２の情報をマッピングさせるためのコードと、
前記少なくとも１つのコンピュータに、ブロックコードで、前記メッセージをエンコードさせるためのコードと
を含み、
ここで、Ｍは１であるか、または、１より大きく、
ここで、Ｎは１であるか、または、１より大きく、
前記第１の情報は、前記メッセージ中で、単独で、または、前記第２の情報とともに送られ、
前記第２の情報は、前記メッセージ中で、前記第１の情報とともに送られるか、または、送られない、コンピュータプログラム製品。
［Ｃ１３］
通信システム中で情報を送る方法において、
メッセージのＭ個の上位ビット（ＭＳＢ）に対して、チャネル品質インジケータ（ＣＱＩ）情報をマッピングし、ここで、Ｍは１であるか、または、１より大きいことと、
肯定応答（ＡＣＫ）情報が送られる場合、前記メッセージのＮ個の下位ビット（ＬＳＢ）に対して、前記ＡＣＫ情報をマッピングし、ここで、Ｎは１であるか、または、１より大きいことと、
ブロックコードの最初のＭ個の基本シーケンスで、前記メッセージのＭ個のＭＳＢをエンコードすることと、
前記ＡＣＫ情報が送られる場合、前記ブロックコードの次のＮ個の基本シーケンスで、前記メッセージのＮ個のＬＳＢをエンコードすることと
を含む方法。
［Ｃ１４］
前記ＣＱＩ情報だけが送られる場合、前記メッセージは、Ｍ個のビットを含み、前記ブロックコードの最初のＭ個の基本シーケンスでエンコードされ、
前記ＣＱＩ情報および前記ＡＣＫ情報の両方が送られる場合、前記メッセージは、ＭプラスＮ個のビットを含み、前記ブロックコードの最初のＭプラスＮ個の基本シーケンスでエンコードされる、Ｃ１３記載の方法。
［Ｃ１５］
Ｎ個のＡＣＫビットのそれぞれを、ＡＣＫに対する第１の値に、または、否定肯定応答（ＮＡＣＫ）に対する第２の値にセットすることをさらに含み、
前記第２の値はまた、前記ＡＣＫ情報の断続的送信（ＤＴＸ）に対しても使用され、  前記ＡＣＫ情報は、前記Ｎ個のＡＣＫビットを含む、Ｃ１３記載の方法。
［Ｃ１６］
前記メッセージの、前記Ｍ個のＭＳＢおよび前記Ｎ個のＬＳＢをエンコードすることから、出力ビットシーケンスを取得することと、
物理アップリンク制御チャネル（ＰＵＣＣＨ）上で、前記出力ビットシーケンスを送ることと
をさらに含む、Ｃ１３記載の方法。
［Ｃ１７］
通信システム中で情報を送る方法において、
第１の情報だけが送られる場合、第１のブロックコードに基づいて、前記第１の情報をエンコードすることと、
前記第１の情報および第２の情報の両方が送られる場合、第２のブロックコードに基づいて、前記第１の情報および前記第２の情報をエンコードすることと
を含み、
前記第２のブロックコードは、前記第１の情報に対する第１のサブコードと、前記第２の情報に対する第２のサブコードとを含み、前記第１のサブコードは、前記第１のブロックコードに対応する方法。
［Ｃ１８］
Ｎ個のビットのそれぞれを、肯定応答（ＡＣＫ）に対する第１の値に、または、否定肯定応答（ＮＡＣＫ）に対する第２の値にセットすることをさらに含み、
ここで、Ｎは１であるか、または、１より大きく、
前記第２の値はまた、前記第２の情報の断続的送信（ＤＴＸ）に対しても使用され、  前記第２の情報は、前記Ｎ個のビットを含む、Ｃ１７記載の方法。
［Ｃ１９］
通信システム中で情報を受信する方法において、
受信された送信を、ブロックコードに基づいてデコードして、複数のビットを含むデコードされたメッセージを取得することと、
前記デコードされたメッセージのＭ個の上位ビット（ＭＳＢ）を、第１の情報として提供し、ここで、Ｍは１であるか、または、１より大きいことと、
前記デコードされたメッセージのＮ個の下位ビット（ＬＳＢ）を、第２の情報として提供し、ここで、Ｎは１であるか、または、１より大きいことと
を含み、
前記受信された送信は、前記第１の情報だけ、または、前記第１の情報および前記第２の情報の両方を含む方法。
［Ｃ２０］
前記受信された送信をデコードすることは、
前記ブロックコードの最初のＭプラスＮ個の基本シーケンスに基づいて、前記受信された送信をデコードして、デコードされたメッセージを取得することを含み、
前記デコードされたメッセージのＭ個のＭＳＢは、前記ブロックコードの最初のＭ個の基本シーケンスに基づいて取得され、
前記デコードされたメッセージのＮ個のＬＳＢは、前記ブロックコードの次のＮ個の基本シーケンスに基づいて取得される、Ｃ１９記載の方法。
［Ｃ２１］
前記第１の情報は、チャネル品質インジケータ（ＣＱＩ）情報を含み、前記第２の情報は、肯定応答（ＡＣＫ）情報を含む、Ｃ１９記載の方法。
［Ｃ２２］
前記ブロックコードは、Ｒｅｅｄ−Ｍｕｌｌｅｒコードに基づいて導出される、Ｃ１９記載の方法。
［Ｃ２３］
少なくとも１つのプロセッサを具備する、通信のための装置において、
前記少なくとも１つのプロセッサは、
受信された送信を、ブロックコードに基づいてデコードして、複数のビットを含むデコードされたメッセージを取得し、
前記デコードされたメッセージのＭ個の上位ビット（ＭＳＢ）を、第１の情報として提供し、
前記デコードされたメッセージのＮ個の下位ビット（ＬＳＢ）を、第２の情報として提供する
ように構成されており、
ここで、Ｍは１であるか、または、１より大きく、
ここで、Ｎは１であるか、または、１より大きく、
前記受信された送信は、前記第１の情報だけ、または、前記第１の情報および前記第２の情報の両方を含む装置。
［Ｃ２４］
前記少なくとも１つのプロセッサは、
前記ブロックコードの最初のＭプラスＮ個の基本シーケンスに基づいて、前記受信された送信をデコードして、デコードされたメッセージを取得するように構成されており、  前記デコードされたメッセージのＭ個のＭＳＢは、前記ブロックコードの最初のＭ個の基本シーケンスに基づいて取得され、
前記デコードされたメッセージのＮ個のＬＳＢは、前記ブロックコードの次のＮ個の基本シーケンスに基づいて取得される、Ｃ２３記載の装置。
［Ｃ２５］
前記デコードされたメッセージのＮ個のＬＳＢのうちのそれぞれのビットに対して、  前記少なくとも１つのプロセッサは、
前記ビットが第１の値を持つ場合、肯定応答（ＡＣＫ）を提供し、
前記ビットが第２の値を持つ場合、否定肯定応答（ＮＡＣＫ）を提供する
ように構成されており、
前記第２の値はまた、ＡＣＫ情報の断続的送信（ＤＴＸ）に対しても使用される、Ｃ２３記載の装置。
［Ｃ２６］
通信システム中で情報を受信する方法において、
受信された送信を、ブロックコードの複数の基本シーケンスに基づいてデコードして、複数のビットを含むデコードされたメッセージを取得することと、
前記ブロックコードの最初のＭ個の基本シーケンスに基づいて取得された、前記デコードされたメッセージのＭ個の上位ビット（ＭＳＢ）を、チャネル品質インジケータ（ＣＱＩ）情報として提供し、ここで、Ｍは１であるか、または、１より大きいことと、
前記ブロックコードの次のＮ個の基本シーケンスに基づいて取得された、前記デコードされたメッセージのＮ個の下位ビット（ＬＳＢ）を、肯定応答（ＡＣＫ）情報として提供し、ここで、Ｎは１であるか、または、１より大きいことと
を含む方法。
［Ｃ２７］
前記受信された送信は、
前記ＣＱＩ情報だけが送られる場合、第１の出力ビットシーケンスを含み、
前記ＣＱＩ情報および前記ＡＣＫ情報の両方が送られる場合、第２の出力ビットシーケンスを含み、
前記第１の出力ビットシーケンスは、前記ブロックコードの最初のＭ個の基本シーケンスで前記ＣＱＩ情報のＭ個のビットをエンコードすることによって取得され、
前記第２の出力ビットシーケンスは、前記ブロックコードの最初のＭ個の基本シーケンスで前記ＣＱＩ情報のＭ個のビットをエンコードすることと、前記ブロックコードの次のＮ個の基本シーケンスで前記ＡＣＫ情報のＮ個のビットをエンコードすることによって取得される、Ｃ２６記載の方法。
［Ｃ２８］
前記デコードされたメッセージのＮ個のＬＳＢのうちのそれぞれのビットに対して、  前記ビットが第１の値を持つ場合、ＡＣＫを提供することと、
前記ビットが第２の値を持つ場合、否定肯定応答（ＮＡＣＫ）を提供することと
を含み、
前記第２の値はまた、前記ＡＣＫ情報の断続的送信（ＤＴＸ）に対しても使用される、Ｃ２６記載の方法。
［Ｃ２９］
通信システム中で情報を受信する方法において、
受信された送信から、第１の情報だけが予期される場合、前記受信された送信を、第１のブロックコードに基づいてデコードすることと、
前記受信された送信から、前記第１の情報および第２の情報が予期される場合、前記受信された送信を、第２のブロックコードに基づいてデコードすることと
を含み、
前記第２のブロックコードは、前記第１の情報に対する第１のサブコードと、前記第２の情報に対する第２のサブコードとを含み、前記第１のサブコードは、前記第１のブロックコードに対応する方法。
［Ｃ３０］
前記受信された送信から、前記第２の情報が予期される場合、前記第２の情報に対する少なくとも１つのデコードされたビットのうちのそれぞれのビットに対して、
前記ビットが第１の値を持つ場合、肯定応答（ＡＣＫ）を提供することと、
前記ビットが第２の値を持つ場合、否定肯定応答（ＮＡＣＫ）を提供することと
を含み、
前記第２の値はまた、前記第２の情報の断続的送信（ＤＴＸ）に対しても使用される、Ｃ２９記載の方法。
【外国語明細書】
2020017974000001.pdf